(57)【要約】      （修正有）【課題】対人、対物の識別を容易にし、建物の倒壊や河川の氾濫時に、捜索や整理を短時間で処理できる、二次元コードの電子管理識別票を提供する。【解決手段】二次元コードを施した識別票は三層からなり、一番上の層５ｅは透明の硬い材料で、中間層６ｆは樹脂系の接着剤層で、下の層７ｇは樹脂材で、それぞれ構成されている。中間層の接着剤層は上の層と下の層を密着させると共に中間層には人や物の情報をレーザ光４ｄで記録した二次元コードのレーザーマーキングが施されている。それをレーザーマーキング識別票として、対人の時は着衣したものに、対物の時は密着させて管理する。【選択図】図１
0003195519.tif 000002
【実用新案登録請求の範囲】
【請求項１】
二次元コードを施した識別票は三層からなり、一番上の層の材料は透明かつ柔軟で硬い材料を配し、中間層は樹脂系の接着剤層で構成したもので、下の層は軽量で耐久性のある樹脂を配する。中間層の樹脂系の接着剤層は上の層の透明かつ柔軟で硬い材料と下の層の軽量で耐久性のある樹脂を密着させると共に前記中間層の接着剤層には二次元コードのレーザーマーキングが施されていることを、特徴とする二次元コードをレーザーマーキングした電子識別票。                            
【請求項２】
前記接着剤層に施された前記二次元コードのレーザーマーキングは、その人物の氏名、生年月日、性別、緊急電話番号、血液型等を刻みその他の文字は任意として、（DNA、国籍、住所）を刻んだものであることを特徴とする請求項１記載の二次元コードをレーザーマーキングした電子識別票。
【請求項３】
前記一番上の層の材料は、透明かつ柔軟で硬いガラス材で構成したことを特徴とする請求項１または請求項２に記載の二次元コードをレーザーマーキングした電子識別票。
【考案の詳細な説明】
【技術分野】
【０００１】
本考案は、災害や紛失、行方不明時における対人、対物の識別、に使用される二次元コードをレーザーマーキングした電子識別票に関するものである。
【背景技術】
【０００２】
（１）従来、災害時において、対人においての識別方法は歯医者の歯型のカルテを参考にしていた、しかしながら東日本大震災の時の津波や建物の崩壊、航空機、船舶、列車等の事故で一度に大勢の人が被害を被った時は大多数の人々が識別不確定の儘無縁仏として多くの遺体が埋葬された、また、荷物等も持ち主不明で焼却されてしまい、遺族を困惑させていた。
【０００３】
（２）また、認知症患者、精神障害者の徘徊が社会問題となり、識別の方法として紙にボールペンで記入し、前記認知症患者や精神障害者に書いた紙を持たせるか、靴底に入れて外出させる方法を講じていたが、紛失したり、水に濡れて読めなくなりして、識別が出来ぬ為、徘徊者の支援ができずに困っていた。
【０００４】
（３）また、携帯電話機、スマートフォン、カバン類も乗り物に忘れることが良くあり、遺失物処理で警官や駅員さんの時間や手を煩わしていた、また、保管場所が手狭になり管理者の悩みの種であった。
【０００５】
（４）また、大事に育てたペット類も行方不明になるときがあり飼い主等を困らせていた。
【先行技術文献】
【特許文献】
【０００６】
【特許文献１】特開２００１−２９７３０１号
【０００７】
【特許文献２】特開２００１−４４１２号
【考案の概要】
【考案が解決しようとする課題】
【０００８】
以上、述べた様に従来の識別方法では（１）（２）（３）（４）共それぞれ問題があり
解決を迫られていた。
【０００９】
（１）の課題は、大地震による建物の倒壊や河川の氾濫、航空機、船舶、列車等で一度に大勢の人や荷物が犠牲になり混乱が生じる、その混乱を素早くに把握し、大勢の人と商品を短時間に識別する事により、最小限の人数で整理整頓できる、また、関係者に遺体や遺品類の返却をする事もできる、二次元コード電子識別票を提供することによりこれらの課題を解決することを目的とする。
（２）の課題は、認知症患者、精神障害者等の徘徊対策であり、本考案は、認知症患
者精神障害者が言語障害を起こしたり、紙に書いた書類を紛失したりして、数年間行方知れずにいる例もある、これらの障害者等の課題を短時間に解決できる二次元コード電子識別票を提供する事により、これらの課題を解決することを目的とする。
（３）の課題は、人々が手軽に持ち運びする携帯電話機、スマートフォン、カバン類を乗り物に置き忘れた時の課題である、これらの解決の為、二次元コード電子識別票を提供することによりこれらの課題を解決することを目的とする。
（４）の課題は、大事に育てたペットが盗難か、あるいは迷子に成り戻らなくなることがよくある、これらを防止しておく事により、疫病の伝染を防ぐ事が出来る、二次元コード電子識別票を提供することによりこれらの課題を解決することを目的とする。
【課題を解決するための手段】
【００１０】
二次元コードを施した識別票は三層からなり、一番上の層の材料は透明かつ柔軟で硬い材料を配し、中間層は樹脂系の接着剤で構成したもので、下の層は軽量で耐久性のある樹脂を配する。中間層の樹脂系の接着剤層は上の層の透明かつ柔軟で硬い材料と下の層の軽量で耐久性のある樹脂を密着させると共に前記中間層の接着剤層には二次元コードのレーザーマーキングが施されていることを、特徴とする二次元コードをレーザーマーキングした電子識別票。
【００１１】
前記接着剤層に施された前記二次元コードのレーザーマーキングは、その人物の氏名、生年月日、性別、緊急電話番号、血液型等を刻みその他の文字は任意として、（、DNA、国籍、住所）を刻んだものであることを特徴とする請求項１記載の二次元コードをレーザーマーキングした電子識別票。
【００１２】
第３の考案は、前記上層の材料は、透明かつ柔軟で硬いガラス材で構成したことを特徴とする請求項１または請求項２に記載の二次元コードをレーザーマーキングした電子識別票。
【考案の効果】
【００１３】
本考案の、二次元コードのレーザーマーキングした電子識別票の、第１の考案は二次元コードを施した電子識別票は三層からなり、中間層接着剤層に刻まれた二次元コードが上の層の透明かつ柔軟で硬い材料により保護されており、二次元コードが直接他のものに接触することがなく、傷や劣化が簡単に生じない、また、下の層は軽量で耐久性のある樹脂で構成したもので、素材が割れにくく、長期間使用できる、さらに、識別票が電子化されており、今後懸念される南海トラフ大地震や首都直下型地震、異常気象による河川の氾濫にも救援活動後の識別対策に効果を発揮する。
【００１４】
また、本考案の前記二次元コードのレーザーマーキングした電子識別票の、第２の考案は、氏名、生年月日、性別、緊急電話番号、血液型等を刻みその他の文字は任意として、（DNA、国籍、住所）を刻んだものであり、認知症患者、精神障害者等の徘徊や、あるいは航空機、船舶、列車等で大勢の犠牲者が出た時、また、品物を乗り物に忘れた時、前記電子化された識別票によって、短時間に仕分けをして、処理することができ、さらにコストが安いのでその利用範囲は極めて広い。
【００１５】
また、本考案の前記二次元コードのレーザーマーキングした電子識別票の、第3の考案は、前記上層の材料は、透明かつ柔軟で硬いガラス材で構成したことを特徴としており、表面が割れにくく、傷がつきにくい為、透明性が維持され中間層接着剤層に刻み込まれたバーコードの劣化防止に役立ち、正確に識別が読み取れ、長期間使用できる。
【図面の簡単な説明】
【００１６】
【図１】レーザー加工断面図及び三層対象物。
【図２】中間層に刻みこまれた二次元コード四角型平面図。
【図３】中間層に刻み込まれた二次元コード丸型平面図。
【図４】二次元コード正面断面図、四角型、丸型共通。
【図５】三層からなる透明かつ柔軟で硬いガラス対象物正面断面図。
【図６】携帯電話機一式
【考案を実施するための形態】
【００１７】
情報所属管理用の二次元コード電子識別票６fは、レーザー光線４dで接着剤対象物６fにマーキングを行う、対象物は三層からなり、一番下の層の素材は限定しないが、軽量で耐久性のある樹脂７gを配する、中間層は白色系の樹脂接着剤層６fを配し、上の層５e、及び８hの材料は透明で柔軟で硬い材料、例えばガラスまたは、ペット材を配する、接着材は上部透明素材５eと下部の素材７gの、軽量で耐久性のある樹脂を密着させることと、レーザー光線によって黒色化した、白、黒斑模様の二次元コードを確立する為のものである。
【実施例】
【００１８】
レーザーマーキングの内容としては、その人物の氏名、生年月日、性別、緊急電話番号、血液型を刻みその他の文字は任意として（DNA、国籍、住所）を刻んだものであり、識別票二次元コードとしてレーザーマーキングする。それによりその人物の全ての情報や所属の管理が正確に把握できる。
【００１９】
図1は、二次元コードに制御されたレーザー光線を、レーザー発振器から出射して、１aのレーザー光筒体を通過して２bの反射ミラーで該９０°に屈折し、３cの集光レンズでレーザー光が集光される、同時に焦点距離も決める、４dのレーザー光が対象物である６fの接着剤層表面を炭化させることによりマーキングされるが、５e及び８hの硬くて透明な素材はレーザー光が透過する。そして６fの対象物接着剤表面を炭化させ二次元コードを構成する。
尚、７gは軽量で耐久性のある樹脂を配して、対象物の全体の長期利用を図る。
図2は６fの表面に二次元コード化された四角型平面図である。
図３は６fの表面に二次元コード化された、丸型平面図である。
【００２０】
図４は、三層化された正面断面図である、５eが硬くて透明な素材であり、６fは樹脂系接着剤層であり、７gは軽量で耐久性のある樹脂である。
図５は、三層化された正面断面図である、８hは透明かつ柔軟で硬いガラス素材であり、６fは樹脂系の接着剤層であり、７gは軽量で耐久性のある樹脂である。
図６は、バーコード読み取り装置1式の中の1例で携帯電話機である、６Cのレンズ付きで撮影された二次元コードを６Aの画面上に文字や絵柄に表示して二次元コードを識別させる、なお、６Bは通信機能やメール機能がついており、二次元コードをレーザーマーキングした電子識別票に最適なバーコード読み取り装置である。これらの機能が一体となり、二次元コードをレーザーマーキングした電子識別票を提供できる。
尚、その他の機種（スマホ他）に同様の機能が付いていれば識別票の電子化に貢献する事ができる。
【００２１】
本考案の実施例は上述の如き構成からなるものであるから、識別票本体図２、図３をカラー化してイヤリング、ネックレス等にして装飾品兼用として使用することもできる。
【符号の説明】
【００２２】
１a、レーザー光筒体
２b、反射ミラー
３c、集光レンズ
４d、レーザー光
５e、硬くて透明な素材
６f、マーキング可能な樹脂系接着剤層、
７g、軽量で耐久性のある樹脂、
８h、透明で柔軟で硬いガラス材、
６A、携帯電話機でバーコード変換機能付き画面、
６B、携帯電話機、通信機能付き
６C、携帯電話機、バーコード読み取りレンズ付き、
【図１】
0003195519.tif 000003
【図２】
0003195519.tif 000004
【図３】
0003195519.tif 000005
【図４】
0003195519.tif 000006
【図５】
0003195519.tif 000007
【図６】
0003195519.tif 000008
【手続補正書】
【提出日】平成26年11月14日(2014.11.14)
【手続補正１】
【補正対象書類名】実用新案登録請求の範囲
【補正対象項目名】全文
【補正方法】変更
【補正の内容】
【実用新案登録請求の範囲】
【請求項１】
二次元コードを施した識別票は三層からなり、一番上の層の材料は透明で硬い材料を配し、中間層は樹脂系の接着剤層で構成したもので、下の層は樹脂材を配する、前記中間層の樹脂系の接着剤層は前記一番上の層の透明で硬い材料と下の層の樹脂を密着させると共に前記中間接着剤層には二次元コードのレーザーマーキングが施されていることを、特徴とする二次元コードをレーザーマーキングした電子識別票。                            
【請求項２】
前記接着剤層に施された前記二次元コードのレーザーマーキングは、その人物の氏名、生年月日、性別、緊急電話番号、血液型を刻んだものであることを特徴とする請求項１記載の二次元コードをレーザーマーキングした電子識別票。
【請求項３】
前記一番上の層の材料は、透明で硬いガラス材とアクリル材で構成したことを特徴とする請求項１または請求項２に記載の二次元コードをレーザーマーキングした電子識別票。
【手続補正２】
【補正対象書類名】明細書
【補正対象項目名】全文
【補正方法】変更
【補正の内容】
【考案の詳細な説明】
【技術分野】
【０００１】
本考案は、災害や紛失、行方不明時における対人、対物の識別、に使用される二次元コードをレーザーマーキングした電子識別票に関するものである。
【背景技術】
【０００２】
（１）従来、災害時において、対人においての識別方法は、歯医者の歯型のカルテを参考にしていた、しかしながら東日本大震災の時の津波や建物の崩壊、航空機、船舶、列車等の事故で一度に大勢の人が被害を被った時は大多数の人々が識別不確定の儘、無縁仏として多くの遺体が埋葬された、また、荷物等も持ち主不明で焼却されてしまい、遺族を困惑させていた。
【０００３】
（２）また、認知症患者、精神障害者の徘徊が社会問題化した、従来の識別の方法は紙にボールペンで記入し、前記認知症患者や精神障害者に書いた紙を持たせるか、靴底に入れて外出させる方法を講じていたが、書いた紙を紛失したり、水に濡れて読めなくなりして、識別が出来ぬ為、徘徊者の支援ができずに困っていた。
【０００４】
（３）また、携帯電話機、スマートフォン、カバン類も乗り物に忘れることが良くあり、遺失物処理で警官や駅員さんの時間や手を煩わしていた、また、保管場所が手狭になり管理者の悩みの種であった。
【０００５】
（４）また、大事に育てたペット類も行方不明になる事があり飼い主を困らせていた。
【先行技術文献】
【特許文献】
【０００６】
【特許文献１】特開２００１−２９７３０１号
【０００７】
【特許文献２】特開２００１−４４１２号
【考案の概要】
【考案が解決しようとする課題】
【０００８】
以上、述べた様に従来の識別方法では（１）（２）（３）（４）共それぞれ問題があり
解決を迫られていた。
【０００９】
（１）の課題は、大地震による建物の倒壊や河川の氾濫、航空機、船舶、列車等で一度に大勢の人や荷物が犠牲になり混乱が生じる、その混乱を素早く把握し、大勢の人と荷物
を短時間に識別する事により、最小限の人数で整理整頓できる、また、関係者に遺体や遺品類の返却をする事もできる、二次元コード電子識別票を提供することにより、これらの課題を解決することを目的とする。
（２）の課題は、認知症患者、精神障害者等の徘徊対策であり、本考案は、認知症患者、精神障害者が言語障害を起こしたり、紙に書いた書類を紛失したりして、数年間行方知れずにいる例もある、これらの障害者の課題を短時間に解決できる二次元コード電子識別票を提供する事により、これらの課題を解決することを目的とする。
（３）の課題は、人々が手軽に持ち運びする携帯電話、スマートフォン、カバン類を乗
り物に置き忘れた時の課題である、これらの解決の為、二次元コード電子識別票を提供することにより、これらの課題を解決することを目的とする。
（４）の課題は、大事に育てたペットが盗難か、あるいは迷子に成り戻らなくなることがよくある、これらを防止する事により、疫病の伝染を防ぐ事が出来る、二次元コード電子識別票を提供することにより、これらの課題を解決することを目的とする。
【課題を解決するための手段】
【００１０】
二次元コードを施した電子識別票は三層からなり、一番上の層の材料は透明で硬い材料を配し、中間層は樹脂系の接着剤層で構成したもので、下の層は樹脂材を配する、前記中間層の樹脂系の接着剤層は、前記一番上の層の透明で硬い材料と下の層の樹脂材を密着させると共に前記中間層の接着剤層には二次元コードのレーザーマーキングが施されていることを、特徴とする二次元コードをレーザーマーキングした電子識別票。        
【００１１】
前記接着剤層に施された前記二次元コードのレーザーマーキングは、その人物の氏名、生年月日、性別、緊急電話番号、血液型を刻んだものであることを特徴とする請求項１記載の二次元コードをレーザーマーキングした電子識別票。
【００１２】
一番上の層の材料は、透明で硬いガラス材または、アクリル材で構成したことを特徴とする請求項１または請求項２に記載の二次元コードをレーザーマーキングした電子識別票。
【考案の効果】
【００１３】
本考案の、二次元コードをレーザーマーキングした電子識別票の、第１の考案は二次元
コードを施した電子識別票は三層からなり、前記中間接着剤層に刻んだ二次元コードが前記一番上の層の透明で硬い材料により保護されており、二次元コードが直接他のものに接触することがなく、傷や劣化が簡単に生じない、また、前記下の層は樹脂材で構成したもので、素材が割れにくく、長期間使用できる、さらに、識別票が電子化されており、今後懸念される南海トラフ大地震や首都直下型地震、異常気象による河川の氾濫にも救援活動後の識別対策に効果を発揮する。
【００１４】
また、本考案の前記二次元コードのレーザーマーキングした電子識別票の、第２の考案
は、氏名、生年月日、性別、緊急電話番号、血液型を刻んだものであり、認知症患者、精神障害者等の徘徊や、あるいは航空機、船舶、列車等で大勢の犠牲者が出た時、また、荷物を乗り物に忘れた時、前記電子化された識別票によって、短時間に仕分けをして、処理することができる、さらに生産コストが安いのでその利用範囲は極めて広い。
【００１５】
また、本考案の前記二次元コードのレーザーマーキングした電子識別票の、第3の考案
は、前記一番上の層の材料は、透明で硬いガラス材または、アクリル材で構成したことを特徴としており、表面に傷がつきにくい為、透明性が維持され中間接着剤層に刻み込まれた二次元コードの劣化防止に役立ち、正確に識別が読み取れ、長期間使用できる。
【図面の簡単な説明】
【００１６】
【図１】レーザー加工断面図及び三層電子識別票。
【図２】中間層に刻みこまれた二次元コード電子識別票四角型平面図。
【図３】中間層に刻みこまれた二次元コード電子識別票丸型平面図。
【図４】三層からなる二次元コード電子識別票、正面断面図、四角型、丸型共通図。
【図５】三層からなる二次元コード電子識別票、側面断面図。四角型、丸型共通図。
【図６】二次元コード読み取り装置携帯電話機の一例（A）の面は、画像表示部であり、撮影した文字や絵柄が画面上に表示されて二次元コードが識別される。（B）の面は、通信機能やメール機能がついており二次元コードの電子識別票を、読み込んだ後、読み込んだ二次元コードを管理者に送る事が出来る。(C) の面には、撮影用レンズが付いており撮影された二次元コードは（A）の面に表示され識別される。
【考案を実施するための形態】
【００１７】
情報所属管理用の二次元コードの電子識別票６fは、レーザー光４dで接着剤層対象物６fにマーキングを行う、対象物は三層からなり、一番下の層の素材は限定しないが、樹脂材７gを配する、前記中間層は白色系の樹脂接着剤層６fを配し、一番上の層の透明で硬い材料例えば樹脂透明材または、ガラス材8h及びアクリル材５e、を配する、接着剤層は一番上の層の透明で硬い材料５eと下の層の樹脂材７gを密着させることと、レーザー光によって黒色化した、白、黒斑模様の二次元コードを確立する為のものである。
【実施例】
【００１８】
レーザーマーキングの内容としては、その人物の氏名、生年月日、性別、緊急電話番号、血液型を刻んだものであり、識別票二次元コードとしてレーザーマーキングする、それによりその人物の全ての情報や所属の管理が正確に把握できる。
【００１９】
図1は、二次元コードに制御されたレーザー光を、レーザー発振器から出射して、１a
のレーザー光筒体を通過して２bの反射ミラーで該９０°に屈折し、３cの集光レンズでレ
ーザー光が集光される、同時に焦点距離も決める、４dのレーザー光が対象物である６fの
接着剤層表面を炭化させることによりマーキングされるが、5eの硬くて透明な樹脂材はレーザー光が透過する,そして６fの接着剤層表面を炭化させ二次元コードを構成する。
尚、７gは軽量の樹脂材を配して、二次元コード識別票の全体の長期利用を図る。
図2は、接着剤層６fの表面に二次元コード電子識別票の四角型平面図である。
図３は、接着剤層６fの表面に二次元コード電子識別票の丸型平面図である。
【００２０】
図４は、三層化された電子識別票正面断面図である、５eが透明で硬い材料であり、６fは樹脂系接着剤層であり、７gは樹脂材である。
図５は、三層化された電子識別票正面断面図である、８hは透明で硬いガラス材または、アクリル材である。
６fは樹種系の接着剤層であり、７gは樹脂材である。
図６は、二次元コード読み取り装置携帯電話機の一例である。
（Ａ）の面は、画像表示部であり、撮影した文字や絵柄が画面上に表示されて二次元コードが識別される。
（Ｂ）の面は、通信機能やメール機能がついており二次元コードの電子識別票を読み込んだ後、読み込んだ二次元コードを管理者に送る事が出来る。
（Ｃ）の面には、撮影用レンズが付いており撮影された二次元コードは（A）の面に表示され識別される。
これらの機能が一体となり二次元コードをレーザーマーキングした電子識別票を提供できる。
【００２１】
本考案の実施例は上述の如き構成からなるものであるから、識別票本体図２、図３をカ
ラー化してブレスレット、ネックレス用として装飾品兼用として携帯使用することもできる。
【符号の説明】
【００２２】
１a、レーザー光筒体
２b、反射ミラー
３c、集光レンズ
４d、レーザー光
５e、透明で硬い材料。
６f、レーザーマーキング可能な樹脂系接着剤層
７g、樹脂材。
８h、透明で硬いガラス材または、アクリル材。
（A）携帯電話機の、画像表示部。
（B）携帯電話機の、通信機能やメール機能付き。
（C）携帯電話機の、撮影用レンズ付き  。
【手続補正３】
【補正対象書類名】図面
【補正対象項目名】図２
【補正方法】変更
【補正の内容】
【図２】
0003195519.tif 000009
【手続補正４】
【補正対象書類名】図面
【補正対象項目名】図３
【補正方法】変更
【補正の内容】
【図３】
0003195519.tif 000010